(57)【要約】【課題】最大消費電力を上げることなく加熱領域と冷却領域とを自由に設定できるショーケースを提供する。【解決手段】商品収納部１７を内側に形成したショーケース本体１０と、商品収納部１７に冷気を供給する冷却装置と、商品収納部１７内に配置された１つ以上の商品棚２０と、商品棚２０に付設された商品棚ヒータ２３と、冷却装置及び商品棚ヒータ２３への電力供給を制御する制御装置６０とを備えたショーケースにおいて、前記制御装置６０は、冷却装置への通電中には商品棚ヒータ２３の消費電力が軽減するように商品棚ヒータ２３への電源供給を制御する。【選択図】  図７
2008002788.tif 000002
【特許請求の範囲】
【請求項１】
商品収納部を内側に形成したショーケース本体と、商品収納部に冷気を供給する冷却装置と、商品収納部内に配置された１つ以上の商品棚と、商品棚に付設された商品棚ヒータと、冷却装置及び商品棚ヒータへの電力供給を制御する制御装置とを備えたショーケースにおいて、
前記制御装置は、冷却装置への通電中には商品棚ヒータの消費電力が軽減するように商品棚ヒータへの電源供給を制御する
ことを特徴とするショーケース。
【請求項２】
前記商品棚には複数の商品棚ヒータが付設されており、
前記制御装置は、冷却装置への通電が停止している間は全ての商品棚ヒータを作動制御するとともに冷却装置への通電中には一部の商品棚ヒータの作動制御を停止する
ことを特徴とする請求項１記載のショーケース。
【請求項３】
前記複数の商品棚ヒータは第１の商品棚ヒータ及び第２の商品棚ヒータとからなり、第１の商品棚ヒータは商品棚の周縁部に配置され、第２の商品棚ヒータは第１の商品棚ヒータの内側に配置され、
前記制御装置は、冷却装置への通電が停止している間は第１及び第２の商品棚ヒータを作動制御するとともに冷却装置への通電中には第２の商品棚ヒータの作動制御を停止する
ことを特徴とする請求項２記載のショーケース。
【請求項４】
ドレン水を受容する蒸発皿と、蒸発皿に付設された蒸発皿ヒータとを備え、
前記制御装置は、冷却装置への通電中には蒸発皿ヒータの消費電力が軽減するように蒸発皿ヒータへの電源供給を制御する
ことを特徴とする請求項１記載のショーケース。
【請求項５】
前記制御装置は、冷却装置への通電が停止している間は蒸発皿ヒータを作動制御するとともに冷却装置への通電中には一部の蒸発皿ヒータの作動制御を停止する
ことを特徴とする請求項４記載のショーケース。
【請求項６】
前記制御装置は、商品棚ヒータを作動制御する商品棚の数に応じて前記商品棚ヒータの消費電力制御を行うか否かを切り替える
ことを特徴とする請求項１乃至５何れか１項記載のショーケース。
【発明の詳細な説明】
【技術分野】
【０００１】
本発明は、商品収納部を冷却する冷却装置と、商品収納部内の商品棚に付設された商品棚ヒータとを備え、商品収納部を複数の温度帯域に設定可能なショーケースに関する。
【背景技術】
【０００２】
従来、この種のショーケースとしては特許文献１に示すものが知られている。このショーケースは、前面を開口した断面略コ字状の断熱壁の両側面に側板を設けてなるショーケース本体と、断熱壁の内側に配置され断熱壁との間に冷気ダクトを形成する仕切板と、断熱壁下方に設けられた機械室と、仕切板に架設された着脱自在の複数の商品棚とを備えている。複数の商品棚のうちの１つには前記冷気ダクトと連通した補助冷気ダクトが着脱自在に付設されている。また、前記冷気ダクト内には補助冷気ダクトに冷気を導入するようダンパが着脱自在に設けられている。さらに、補助冷気ダクトが付設された商品棚の上面には、商品を加熱するヒータが設けられている。このような構造により、該商品棚の上部空間を加熱領域とするとともに、該商品棚の下部空間を冷却領域としている。また、この商品棚を通常の商品棚に交換するとともに前記ダンパを取り外すことにより、全体を冷却領域にすることが可能である。
【特許文献１】特開平６−１４８２７号公報
【発明の開示】
【発明が解決しようとする課題】
【０００３】
ところで、特許文献１に記載のショーケースは加熱領域には商品棚が１つ配置されているだけであるが、さらに加熱領域に複数段の商品棚を設置したいという要望があった。この場合、商品を適正な加熱状態にするために、加熱領域にある各商品棚のそれぞれにヒータを設置する必要がある。
【０００４】
しかし、このように加熱用のヒータの個数が多くなるとショーケース全体での消費電力が大きくなり過ぎるという問題があった。具体的には、ショーケースを単相１００Ｖの商用電源で用いる場合には、コンセントの電気定格１５Ａ−１２５Ｖを越えないようにする必要がある。しかし、上述のようにヒータの設置数が多くなると前記電気定格を越える恐れがあるため、加熱領域を大きく形成させることが困難であった。
【０００５】
本発明は、上記事情に鑑みてなされたものであり、その目的とするところは、最大消費電力を上げることなく加熱領域と冷却領域とを自由に設定できるショーケースを提供することにある。
【課題を解決するための手段】
【０００６】
上記目的を達成するために、本願では、商品収納部を内側に形成したショーケース本体と、商品収納部に冷気を供給する冷却装置と、商品収納部内に配置された１つ以上の商品棚と、商品棚に付設された商品棚ヒータと、冷却装置及び商品棚ヒータへの電力供給を制御する制御装置とを備えたショーケースにおいて、前記制御装置は、冷却装置への通電中には商品棚ヒータの消費電力が軽減するように商品棚ヒータへの電源供給を制御することを特徴とするものを提案する。
【０００７】
一般的に、ショーケースの制御装置では、所定の冷却温度帯を維持するために冷却装置への通電は間欠的に行われる。そして本発明に係る制御装置は、冷却装置への通電中には商品棚ヒータの消費電力が軽減するように商品棚ヒータへの電源供給を制御する。これにより冷却装置とヒータとを同時に駆動させる場合であっても、ショーケース全体の消費電力を抑えることができるので、加熱領域と冷却領域の大きさを自由に設定することができる。
【０００８】
本発明の具体的な態様の一例として、本願では、前記商品棚には複数の商品棚ヒータが付設されており、前記制御装置は、冷却装置への通電が停止している間は全ての商品棚ヒータを作動制御するとともに冷却装置への通電中には一部の商品棚ヒータの作動制御を停止することを特徴とするものを提案する。さらに具体的な一例として、本願では、前記複数の商品棚ヒータは第１の商品棚ヒータ及び第２の商品棚ヒータとからなり、第１の商品棚ヒータは商品棚の周縁部に配置され、第２の商品棚ヒータは第１の商品棚ヒータの内側に配置され、前記制御装置は、冷却装置への通電が停止している間は第１及び第２の商品棚ヒータを作動制御するとともに冷却装置への通電中には第２の商品棚ヒータの作動制御を停止することを特徴とするものを提案する。
【０００９】
本発明によれば、１つの商品棚に対して複数の商品棚ヒータが設置されており、冷却装置への通電中には一部の商品棚ヒータの作動制御を停止させているので、最大消費電力の増大を抑えることができる。なお、ここでヒータの作動制御とは、ヒータが所定の温度範囲内に維持されるよう当該ヒータへの通電を制御することを意味する。
【００１０】
また、本願では、上記構成に加えて、ドレン水を受容する蒸発皿と、蒸発皿に付設された蒸発皿ヒータとを備え、前記制御装置が、冷却装置への通電中には蒸発皿ヒータの消費電力が軽減するように蒸発皿ヒータへの電源供給を制御することを特徴とするものを提案する。本発明によれば、最大消費電力の増大をさらに抑えることができる。
【００１１】
なお、前記制御装置が、商品棚ヒータを作動制御する商品棚の数に応じて前記商品棚ヒータの消費電力制御を行うか否かを切り替えるようにすると好適である。これは、商品棚の数によっては上述したような消費電力制御を行わなくても定格を越えない場合があるが、この場合には加熱効率の観点から前記消費電力制御を行わない方が好適だからである。
【発明の効果】
【００１２】
以上説明したように本発明によれば、冷却装置への通電中には商品棚ヒータの消費電力が軽減するように商品棚ヒータへの電源供給を制御するので、冷却装置とヒータとを同時に駆動させる場合であっても、ショーケース全体の消費電力を抑えることができる。これにより、加熱領域と冷却領域の大きさを自由に設定することができる。
【発明を実施するための最良の形態】
【００１３】
（第１の実施の形態）
本発明の第１の実施の形態に係るショーケースについて図面を参照して説明する。図１はショーケースの全体斜視図、図２はショーケースの側面断面図、図３は商品棚の平面図である。
【００１４】
このショーケースは、前面に開口部を有するショーケース本体１０と、ショーケース本体１０内に上下複数段（本実施の形態では４段）に設けられた商品棚２０と、ショーケース本体１０内の底面側、背面側及び上面側に沿って形成された通風路３０と、通風路３０の背面側の上下方向所定位置から前方に延びる冷気流通ダクト４０とを備えている。
【００１５】
ショーケース本体１０は、上面側、背面側及び底面側が断熱壁１１によって形成されている。また、ショーケース本体１０の左右両側面側は、上面側、背面側及び底面側が断熱壁１２によって形成されるとともに、断熱壁１２の上面側と底面側の間はガラス板１３によってそれぞれ覆われている。ショーケース本体１０内には、断熱壁１１の内面と間隔をおいて上面側、背面側及び底面側にそれぞれ上面板１４、背面板１５及び底板１６が設けられ、その内部に商品収納部１７が形成されている。背面板１５の下部には、商品収納部１７の温度を検出するためのサーミスタ等からなる庫内温度センサ１８が付設されている。ショーケース本体１０の断熱壁１１の下部には機械室５０が設けられている。
【００１６】
各商品棚２０は、商品を載置可能な棚板２１と棚板２１を支持する一対の棚受２２とを備え、棚受２２の後端側が商品収納部１７の上下方向任意の位置に支持されるようになっている。棚板２１は、棚受２２の前端側に回動自在に連結されており、棚板２１の上面を水平とする他、前下りに傾斜させることが可能となっている。更に、棚板２１の下面側には冷気流通ダクト４０を取付け可能な幅方向一対の上レール部が棚板２１と平行に設けられ、上レール部の傾斜角度は棚板２１の傾斜角度と同一となるようになっている。最下段に位置する商品棚２０は、他の商品棚２０よりも前方に配置され、使用しない冷気流通ダクト４０が収納可能となっている。
【００１７】
各商品棚２０の棚板２１には、載置商品を加熱するための電気ヒータからなる商品棚ヒータ２３が設けられている。ここで、１段目の棚板（「第１の棚板」と言う。以下、同様とする。）２１及び第２の棚板２１に付設されている商品棚ヒータ２３は、図３に示すように、主ヒータ２３ａと補助ヒータ２３ｂにより構成される。主ヒータ２３ａは棚板２１の周縁部において蛇行して配置されている。補助ヒータ２３ｂは主ヒータ２３ａの内側において蛇行して配置されている。第３の棚板２１及び第４の棚板２１に付設されている商品棚ヒータ２３は、棚板２１の周縁部において蛇行して配置されている。また、棚板２１の中心付近には棚板２１の温度を検出するサーミスタ等からなる棚板温度センサ２４が付設されている。
【００１８】
通風路３０は、断熱壁１１の内面と上面板１４、背面板１５及び底板１６との間に形成され、ショーケース本体１０の開口部の下端には空気吸入口３１が設けられるとともに、上端には空気吐出口３２が設けられている。空気吐出口３２の近傍には結露を防止するための第１の結露ヒータ３２ａが付設されている。また、空気吸入口３１の近傍にも結露を防止するための第２の防露ヒータ３１ａが付設されている。背面側の通風路３０は、背面板１５と平行に上下方向に延びる断熱壁１１側に設けられたダクト当接板３３によって上下方向に亘って前後方向の寸法が同一になるように形成され、最下段以外の商品棚２０に取付けられる冷気流通ダクト４０の後端側が当接可能となっている。また、背面板１５には冷気流通ダクト４０の後端側を挿入可能な幅方向に延びるダクト挿入孔３４が互いに上下方向に間隔をおいて複数設けられ、各ダクト挿入孔３４はそれぞれ開閉板３５によって開閉自在に設けられている。開閉板３５の上下方向中央部には商品収納部１７内に冷気を吐出する空気吐出口が幅方向に複数設けられている。更に、底面側の通風路３０には空気を流通させるための送風機３６が設けられ、背面側の通風路３０の下部には空気を冷却するための冷却器３７が設けられている。また、冷却器３７の前面側には最下段に位置する商品棚２０に取付けられる冷気流通ダクト４０の後端側が当接するダクト当接板３８が設けられている。
【００１９】
冷気流通ダクト４０は、空気を前方に流通させるダクト部と、通風路３０を上下方向に仕切ることにより上方の通風路３０への空気の流通を規制する仕切部とを有し、これらは一体に形成されている。ダクト部は、幅方向に延びる断面四角形状に形成され、前端側から冷気を下方に向かって吐出するようになっている。仕切部は、下面及び前面が開放され、通風路３０内を下方から上方に向かって流通する空気をダクト部に流通させるようになっている。また、仕切部の後端側には幅方向に亘って気密部材が設けられ、気密部材をダクト当接板３３に当接させることにより上方の通風路３０への空気の漏洩を防止するようになっている。更に、ダクト部の上面側の幅方向両端側には前後方向に延びる板状の下レール部が外側に張り出すようにそれぞれ設けられ、各下レール部が各商品棚２０の上レール部と摺動可能に係合することにより、各商品棚２０に冷気流通ダクト４０を着脱自在に取付けられるようになっている。
【００２０】
機械室５０には、前記冷却器３７とともに冷却装置を構成する圧縮機５１及び凝縮器５２と、主として凝縮器５２を冷却する送風機５３と、ドレン水を受容する蒸発皿５４が設置されている。断熱壁１１の底部には排水孔１１ａが形成されており、該排水孔１１ａを通じてドレン水が蒸発皿５４に受容される。また、蒸発皿５４にはドレン水の蒸発を促進するために蒸発皿ヒータ５４ａが付設されている。
【００２１】
以上のように構成されたショーケースにおいて、商品収納部１７の商品を全て冷却又は加熱するとき等、冷気流通ダクト４０を使用しない場合には、最下段に位置する商品棚２０に冷気流通ダクト４０を取付ける。商品収納部１７に収納された商品全てを冷却する場合には、送風機３６によって開口部の下端の空気吸入口３１から通風路３０内に吸入した空気は冷却器３７によって冷却され、開口部の上端の空気吐出口３２と各開閉板３５に設けられた空気吐出口から冷気が吐出されることにより、商品収納部１７が冷却される。
【００２２】
一方、商品収納部１７を２温度帯域に設定する場合には、境界となる商品棚２０の冷気流通ダクト４０を取付ける。これにより、冷気流通ダクトの仕切部によって通風路３０が上下方向に仕切られることから、通風路３０を流通する空気は、冷気流通ダクト４０に流通してダクト部の前端側に設けられた空気吐出孔から吐出されるとともに、冷気流通ダクト４０よりも下方に位置する開閉板３５に設けられた空気吐出口から冷気が吐出されることにより、商品収納部１７の下部が冷却される。また、冷気流通ダクト４０よりも上方に位置する商品棚２０は商品棚ヒータ２３によって棚板２１の上面が加熱される。
【００２３】
次に、本実施の形態に係るショーケースの制御装置について図４を参照して説明する。図４は制御装置の概略ブロック図である。図４に示すように、制御装置６０は、ワンチップマイコンなどからなる主制御部６１と、前記圧縮機５１、各商品棚ヒータ２３、防露ヒータ３１ａ，３２ａ、蒸発皿ヒータ５４ａを作動させるためのリレー回路６２と、ショーケースの運転モードを切り替えるための運転モード切替スイッチ６３とを備えている。リレー回路６２には１００Ｖの商用交流電源が供給されており、圧縮機５１や各ヒータ２３，３１ａ，３２ａ，５４ａは該供給電源により駆動する。主制御部６１には商品収納部１７内に付設した庫内温度センサ１８及び各棚板温度センサ２４が接続されている。主制御部６１は、庫内温度センサ１８及び各棚板温度センサ２４の検出温度並びに運転モード切替スイッチ６３で選択された運転モードに基づき、圧縮機５１や各ヒータ２３，３１ａ，３２ａ，５４ａへの通電を制御する。
【００２４】
本実施の形態では、４つの運転モードを有している。具体的には、（ａ）商品収納部１７全体を冷却する第１の運転モード、（ｂ）１段目に位置する第１の商品棚２０により温度帯を分割する第２の運転モード、（ｃ）２段目に位置する第２の商品棚２０により温度帯を分割する第３の運転モード、（ｄ）商品収納部１７全体を加熱する第４の運転モードである。以下、各運転モードにおける制御装置６０の動作について説明する。
【００２５】
商品収納部１７全体を冷却する第１の運転モード時の動作について図５のタイミングチャートを参照して説明する。第１の運転モードの場合、制御装置６０は、庫内温度センサ１８による検出温度が所定の温度範囲内に収まるように圧縮機５１を間欠的に通電させる。蒸発皿ヒータ５４ａ，防露ヒータ３１ａ，３２ａは所定の温度範囲に収まるよう常に通電制御される。全ての商品棚２０の商品棚ヒータ２３は常に通電停止させる。
【００２６】
１段目に位置する第１の商品棚２０により温度帯を分割する第２の運転モード時の動作について図６のタイミングチャートを参照して説明する。第２の運転モードの場合、制御装置６０は、庫内温度センサ１８による検出温度が所定の温度範囲内に収まるように圧縮機５１を間欠的に通電させる。蒸発皿ヒータ５４ａは所定の温度範囲に収まるよう常に通電制御される。空気吐出口３２に設けた第１の防露ヒータ３２ａは常に通電停止させる。空気吸入口３１に設けた第２の防露ヒータ３１ａは所定の温度範囲に収まるよう常に通電制御される。１段目に位置する第１の商品棚２０の商品棚ヒータ２３（主ヒータ２３ａ及び補助ヒータ２３ｂの双方）は所定の温度範囲に収まるよう常に通電制御される。２段目から４段目に位置する他の商品棚２０の商品棚ヒータ２３は常に通電停止させる。
【００２７】
２段目に位置する第２の商品棚２０により温度帯を分割する第３の運転モード時の動作について図７のタイミングチャートを参照して説明する。第３の運転モードの場合、制御装置６０は、庫内温度センサ１８による検出温度が所定の温度範囲内に収まるように圧縮機５１を間欠的に通電させる。蒸発皿ヒータ５４ａは、圧縮機５１が通電停止している間のみ所定の温度範囲に収まるよう通電制御する。空気吐出口３２に設けた第１の防露ヒータ３２ａは常に通電停止させる。空気吸入口３１に設けた第２の防露ヒータ３１ａは所定の温度範囲に収まるよう常に通電制御する。１段目及び２段目に位置する第１及び第２の商品棚２０の商品棚ヒータ２３については、主ヒータ２３ａは所定の温度範囲に収まるよう常に通電制御する。補助ヒータ２３ｂは圧縮機５１が通電停止している間のみ所定の温度範囲に収まるよう通電制御する。３段目及び４段目に位置する他の商品棚２０の商品棚ヒータ２３は常に通電停止させる。
【００２８】
商品収納部１７全体を加熱する第４の運転モード時の動作について図８のタイミングチャートを参照して説明する。第４の運転モードの場合、制御装置６０は、圧縮機５１、蒸発皿ヒータ５４ａ、防露ヒータ３１ａ，３２ａは常に通電停止させる。１段目に位置する第１の商品棚２０の商品棚ヒータ２３（主ヒータ２３ａ及び補助ヒータ２３ｂの双方）は所定の温度範囲に収まるよう常に通電制御する。２段目に位置する第２の商品棚２０の商品棚ヒータ２３は、主ヒータ２３ａのみ所定の温度範囲に収まるよう常に通電制御する。３段目及び４段目に位置する他の商品棚２０の商品棚ヒータ２３は常に所定の温度範囲に収まるよう常に通電制御する。
【００２９】
このようなショーケースでは、第３の運転モードの場合には、圧縮機５１への通電が停止している間のみ、蒸発皿ヒータ５４ａ、第１及び第２の商品棚２０の補助ヒータ２３ｂの通電制御を行うので、最大消費電力を軽減することができる。しかも、該消費電力軽減制御中であっても、第１及び第２の商品棚２０の主ヒータ２３ａの通電制御は維持されているので、第１及び第２の商品棚２０に載置した商品の加熱状態を維持することができる。
【００３０】
（第２の実施の形態）
本発明の第２の実施の形態に係るショーケースについて図面を参照して説明する。本実施の形態に係るショーケースが第１の実施の形態と相違する点は、制御装置の回路構成にある。他の構成については第１の実施の形態と同様なので、ここでは相違点のみを説明する。
【００３１】
図９に本実施の形態に係るショーケースの回路図を示す。なお、図９では本願発明の要旨に係るもののみを記載した。また、図９において第１の実施の形態と同じ構成には同じ符号を付した。また、図９において、丸付の符号Ｘ１，Ｘ２，…，Ｘ６はリレーコイルを示し、同符号が付されたスイッチは当該リレーコイルに対応するリレースイッチである。また、図９において、リレースイッチの接点のうち常閉設定は黒丸で示している。
【００３２】
本実施の形態では、最上段及び第２段目の商品棚２０の商品棚ヒータ２３は第１のサーモスタット７１により通電制御し、第３段目及び最下段の商品棚２０の商品棚ヒータ２３は第２のサーモスタット７２により通電制御し、圧縮機５１は第３のサーモスタット７３により通電制御する。各サーモスタット７１〜７３は、接続した温度センサの検出温度に基づき通電制御を行う電子サーモスタットであり、交流電源の供給により動作する。第１のサーモスタット７１には、最上段の商品棚２０に付設した棚板温度センサ２４が接続している。第２のサーモスタット７２には、第３段目の商品棚２０に付設した棚板温度センサ２４が接続している。第３のサーモスタット７３には、庫内温度センサ１８が接続している。
【００３３】
図９に示すように、ロータリースイッチからなる運転モード切替スイッチ６３の可動接点側には商用電源の一端が接続している。運転モード切替スイッチ６３の固定接点のうち、前記第１の運転モード（図９では「４Ｃ」と標記した）に対応する接点６３ａは、第１の防露ヒータ３２ａを介して商用電源に接続している。また、商用電源には、リレースイッチＸ３の常閉設定側にリレーコイルＸ４が接続している。運転モード切替スイッチ６３の固定接点のうち、前記第２の運転モード（図９では「１Ｈ３Ｃ」と標記した）に対応する接点６３ｂは、第１のサーモスタット７１の電源端子と接続している。また、第１のサーモスタット７１の電源端子は、リレースイッチＸ３の常開接点と接続している。
【００３４】
第１のサーモスタット７１は二回路の温度制御用端子を有しており、一方の回路の一端子は商用電源と接続し、他端子は温度ヒューズ８１、第１段目の棚板２０の主ヒータ２３ａを介して商用電源と接続している。該主ヒータ２３ａには、併設された補助ヒータ２３ｂが並列に接続している。該補助ヒータ２３ｂには、直列接続されたリレースイッチＸ３及びＸ５と、リレースイッチＸ４との並列接続回路が、直列に接続している。第１のサーモスタット７１の他方の回路の一端子は、運転モード切替スイッチ６３の固定接点のうち、前記第３の運転モード（図９では「２Ｈ２Ｃ」と標記した）に対応する接点６３ｃと接続し、他端子は温度ヒューズ８２、第２段目の棚板２０の主ヒータ２３ａを介して商用電源と接続している。該主ヒータ２３ａには、併設された補助ヒータ２３ｂとリレースイッチＸ２及びＸ１の直列接続回路が、並列に接続している。また、第１のサーモスタット７１の他方の回路の一端子は、リレースイッチＸ２の常開接点に接続している。このリレースイッチＸ２は、共通側端子が商用電源に接続しており、常開接点はリレーコイルＸ３及びＸ６の並列接続回路を介して商用電源に接続している。リレースイッチＸ２の常閉接点は、第２の防露ヒータ３１ａ、リレースイッチＸ５と蒸発皿ヒータ５４ａの直列回路、及び、第３のサーモスタット７３の電源端子に接続している。
【００３５】
第３のサーモスタット７３の温度制御用端子の一方は、商用電源が接続されており、他方はリレーコイルＸ１を介して商用電源に接続している。リレーコイルＸ１には、リレースイッチＸ６及びリレーコイルＸ５の直列接続回路が、並列に接続している。
【００３６】
運転モード切替スイッチ６３の固定接点のうち、前記第４の運転モード（図９では「４Ｈ」と標記した）に対応する接点６３ｄは、リレースイッチＸ２及び第２のサーモスタット７２の電源端子に接続している。第２のサーモスタットには、温度ヒューズ８３及び第３段目の棚板２０の商品棚ヒータ２３、温度ヒューズ８４及び最下段の棚板２０の商品棚ヒータ２３が接続している。また、商用電源には、圧縮機５１及びリレースイッチＸ１が直列接続している。
【００３７】
次に、この制御回路の動作について説明する。なお、各運転モード時における各ヒータ及び圧縮機の動作との関係は図５〜図８のタイミングチャートを参照して前述したものと同様である。
【００３８】
運転モード切替スイッチ６３が第１の運転モードの場合、当該スイッチ６３により第１の防露ヒータ３２ａが通電する。また、冷却用の第３のサーモスタット７３には、リレースイッチＸ２の常閉接点を介して商用電源に接続しており、このリレーコイルＸ２は運転モード切替スイッチ６３が第４の運転モードの場合にのみ通電するので、第１の運転モード時には第３のサーモスタット７３が動作する。これにより、圧縮機５１が通電制御される。また、リレーコイルＸ２の常閉接点に接続した第２の防露ヒータ３１ａ、蒸発皿ヒータ５４ａが通電する。本動作モードでは、第１のサーモスタット７１及び第２のサーモスタット７２には通電されないので、各棚板２０の商品棚ヒータ２３は通電制御が行われない。
【００３９】
運転モード切替スイッチ６３が第２の運転モードの場合、当該スイッチ６３により第１のサーモスタット７１が動作する。これにより、最上段の棚板２０の主ヒータ２３ａが通電制御される。また、本動作モードでは、リレーコイルＸ３には通電されないので、これによりリレーコイルＸ４が通電状態となる。これにより、当該リレーコイルＸ４と直列接続された最上段の棚板２０の補助ヒータ２３ｂが通電制御される。他方、２段目の棚板２０の商品棚ヒータ２３（主ヒータ２３ａ及び補助ヒータ２３ｂ）、第２のサーモスタット７２には通電されないので、第２段目から最下段の商品棚２０の商品棚ヒータ２３は通電制御が行われない。圧縮機５１、第２の防露ヒータ３１ａ、蒸発皿ヒータ５４ａの動作は第１の動作モードと同じである。
【００４０】
運転モード切替スイッチ６３が第３の運転モードの場合、当該スイッチ６３によりリレーコイルＸ３が通電し、これによりリレースイッチＸ３を介して第１のサーモスタット７１に電源供給され動作状態となる。また、当該スイッチ６３によりリレーコイルＸ６が通電し、これにより第３のサーモスタット７３に接続したリレーコイルＸ５が、当該サーモスタット７３による通電制御の対象となる。そして、リレースイッチＸ５の常閉接点は、第１段目の棚板２０の補助ヒータ２３ｂと直列接続しているので、当該補助ヒータ２３ｂは圧縮機５１への通電停止中にのみ第１のサーモスタット７１による通電制御を受ける。また、蒸発皿ヒータ５４ａもリレースイッチＸ５の常閉接点と直列接続しているので、圧縮機５１への通電停止中にのみ通電される。また、第２段目の棚板２０の補助ヒータ２３ｂは、圧縮機５１に対応したリレースイッチＸ１の常閉接点と直列接続しているので、当該補助ヒータ２３ｂは圧縮機５１への通電停止中にのみ第１のサーモスタット７１による通電制御を受ける。圧縮機５１、第２の防露ヒータ３１ａの動作は第１の動作モードと同じである。
【００４１】
運転モード切替スイッチ６３が第４の運転モードの場合、当該スイッチ６３により第２のサーモスタット７２が動作する。また、第２のサーモスタット７１と並列接続されたリレーコイルＸ２が通電するので、リレースイッチＸ２を介してリレーコイルＸ３が通電し、これによりリレースイッチＸ３を介して第１のサーモスタット７１に電源供給され動作状態となる。これにより、最上段の棚板２０の主ヒータ２３ａ及び補助ヒータ２３ｂ、並びに、２段目の棚板の主ヒータ２３ａは、第１のサーモスタット７１による通電制御を受ける。また、３段目及び最下段の棚板２０の商品棚ヒータ２３は、第２のサーモスタット７２による通電制御を受ける。また、リレーコイルＸ２への通電により、第３のサーモスタット７３、第２の防露ヒータ３１ａ、蒸発皿ヒータ５４ａへの通電は停止する。
【００４２】
以上のような動作により、各運転モード時における各ヒータ及び圧縮機は図５〜図８のタイミングチャートに示すような関係で動作する。本実施の形態の他の作用・効果については第１の実施の形態と同様である。
【００４３】
以上、本発明の実施の形態について詳述したが本発明はこれに限定されるものではない。以下、本発明の変形例について説明する。
【００４４】
上記各実施の形態では、商品棚２０の商品棚ヒータ２３を主ヒータ２３ａ及び２３ｂという複数のヒータにより構成し、一部のヒータのみ所定温度範囲内に収まるよう通電制御することにより当該商品棚２０における消費電力軽減を図っているが、消費電力の軽減のための手段は他の方法であってもよい。例えば、半波整流回路やツェナーダイオードなどにより交流波形を整形して商品棚ヒータ２３への供給電力を低減するようにしてもよい。また例えば、トランス回路などの高圧回路により商品棚ヒータ２３への供給電圧を低下させるようにしてもよい。また、インバーター回路により商品棚ヒータ２３への供給電力を低減するようにしてもよい。これらの消費電力軽減方法を用いれば、商品棚ヒータ２３を主ヒータ２３ａ及び２３ｂとに分割する必要はないが、必要に応じて主ヒータ２３ａ及び２３ｂによる消費電力軽減制御と組み合わせてもよい。
【００４５】
また、上記各実施の形態では、蒸発皿ヒータ５４ａの消費電力軽減制御も行っているが、ショーケース全体で最大消費電力を所定値以下に抑えることができるならば、該制御を省略してもよい。すなわち、ショーケース全体で最大消費電力を所定値以下に抑えることができるならば、消費電力軽減制御の対象とするヒータを任意の組み合わせにすることができる。
【図面の簡単な説明】
【００４６】
【図１】ショーケースの外観斜視図
【図２】ショーケースの側面断面図
【図３】商品棚の平面図
【図４】第１の実施形態に係る制御装置の概略ブロック図
【図５】ショーケースの動作を説明するタイミングチャート
【図６】ショーケースの動作を説明するタイミングチャート
【図７】ショーケースの動作を説明するタイミングチャート
【図８】ショーケースの動作を説明するタイミングチャート
【図９】第２の実施形態に係るショーケースの回路図
【符号の説明】
【００４７】
１０…ショーケース本体、１５…背面板、１７…商品収納部、２０…商品棚、２１…棚板、２３…商品棚ヒータ、２３ａ…主ヒータ、２３ｂ…補助ヒータ、３０…通風路、３１…空気吸入口、３１ａ…第２の防露ヒータ、３２…空気吐出口、３２ａ…第１の防露ヒータ、３３…ダクト当接板、３４…ダクト挿入孔、３５…開閉板、３６…送風機、３７…冷却器、４０…冷気流通ダクト、５０…機械室、５１…圧縮機、５２…凝縮器、５３…送風機、５４…蒸発皿、５４ａ…蒸発皿ヒータ
【図１】
2008002788.tif 000003
【図２】
2008002788.tif 000004
【図３】
2008002788.tif 000005
【図４】
2008002788.tif 000006
【図５】
2008002788.tif 000007
【図６】
2008002788.tif 000008
【図７】
2008002788.tif 000009
【図８】
2008002788.tif 000010
【図９】
2008002788.tif 000011